(57)【要約】  【課題】  支持部材による被支持体の支持角度が調整可能であり、少ない構成部品で実現でき、簡単に組み立て及び分解を行うことができる支持機構を提供する。  【解決手段】  略弓状の支持部材１０に湾曲凸面１３を設け、液晶ディスプレイ１の背面に湾曲凹面３を設ける。湾曲凸面１３及び湾曲凹面３を接触させた状態で、支持部材１０をネジ１９により液晶ディスプレイ１に固定する。支持角度の調整を行う場合は、支持部材１０と液晶ディスプレイ１の接触位置を湾曲凹面３に沿って移動させて変更することで行う。【選択図】      図３
2006308062.tif 000002
【特許請求の範囲】
【請求項１】
被支持体と、該被支持体を支持する支持部材とを備え、前記被支持体の支持角度を調整可能に支持するようにしてある支持機構において、
前記支持部材は側面視で略弓状をなし、
前記支持部材の凸面側の一部を前記被支持体の背面に接触させた状態で、前記支持部材を前記被支持体に固定する固定手段と、
前記支持部材及び前記被支持体の接触部分の一方又は両方に形成された湾曲面又は屈曲面とを備え、
前記支持部材及び前記被支持体の接触位置を変更して、前記被支持体の支持角度を調整するようにしてあることを特徴とする支持機構。
【請求項２】
前記支持部材には、前記被支持体との接触部分に湾曲凸面が形成してあり、
前記被支持体には、前記支持体との接触部分に、前記湾曲凸面と対応する湾曲凹面が形成してある請求項１に記載の支持機構。
【請求項３】
前記支持部材には、前記被支持体との接触部分に湾曲凹面が形成してあり、
前記被支持体には、前記支持体との接触部分に、前記湾曲凹面と対応する湾曲凸面が形成してある請求項１に記載の支持機構。
【請求項４】
前記固定手段は、
前記被支持体の支持角度の調整方向に沿って長く前記支持部材に形成された貫通孔又は前記調整方向に沿って並べて前記支持部材に形成された複数の貫通孔と、
前記被支持体の背面に形成されたネジ穴と、
前記支持部材に形成された貫通孔を挿通して前記ネジ穴に螺合するネジと
を有する請求項１乃至請求項３のいずれか１つに記載の支持機構。
【請求項５】
前記固定手段は、
前記被支持体の支持角度の調整方向に沿って長く前記支持部材に形成された貫通孔又は前記調整方向に沿って並べて前記支持部材に形成された複数の貫通孔と、
前記被支持体の背面に突設してあり、前記支持部材に形成された貫通孔を挿通するネジ軸と、
該ネジ軸に螺合するナットと
を有する請求項１乃至請求項３のいずれか１つに記載の支持機構。
【請求項６】
前記固定手段は、
前記支持部材又は前記被支持体の一方に設けられた磁石と、
他方に設けられた磁性体と
を有する請求項１乃至請求項３のいずれか１つに記載の支持機構。
【請求項７】
前記支持部材に、前記被支持体の支持角度の調整方向に沿って長く形成されたガイド孔と、
前記被支持体の背面に突設してあり、前記ガイド孔に挿入可能なガイドピンと
を備え、
前記ガイド孔及び前記ガイドピンにより、前記固定手段による前記被支持体及び前記支持部材の固定位置を規制するようにしてある請求項１乃至請求項６のいずれか１つに記載の支持機構。
【請求項８】
前記支持部材には、前記被支持体を支持した場合の上部に、取手部が設けてある請求項１乃至請求項７のいずれか１つに記載の支持機構。
【請求項９】
前記被支持体は、平面表示装置である請求項１乃至請求項８のいずれか１つに記載の支持機構。
【発明の詳細な説明】
【技術分野】
【０００１】
本発明は、ディスプレイ装置又はパラボラアンテナ等の被支持体を支持部材により支持する支持機構に関し、詳しくは被支持体を支持する支持角度が調整可能な支持機構に関する。
【背景技術】
【０００２】
近年、液晶ディスプレイ又はプラズマディスプレイ等の薄型の表示装置が普及している。これらの表示装置は、従来のブラウン管を用いた表示装置と比較して設置に必要なスペースが少ないという利点があり、また、少ないスペースを有効に利用するために、表示面の傾斜角を調整する機構、及び表示面を回転して縦長又は横長に切り替える機構等を有するスタンドを備えている場合が多い。スタンドにより表示面の傾斜角を調整することで、表示面に表示される文字又は画像等の視認性を高めることができる。
【０００３】
特許文献１においては、支持台に立設されたスタンド支柱にディスプレイ装置のディスプレイ部が装着されるディスプレイ取付部材を横架させ、ディスプレイ取付部にチルト機構を設けることで、ディスプレイ部の姿勢を任意の角度で保持できる支持装置を備えたディスプレイ装置が提案されている。この場合、更にスタンド支柱とディスプレイ取付部とを電気的絶縁状態で連結することで、ディスプレイ部が発する電磁波の特定周波数に対して支持装置が共振しないようにし、放射妨害を低減している。
【０００４】
特許文献２においては、スタンドの外殻意匠を構成するケースと、端部が平面表示装置の設置面に当接してケースの傾斜を支え、ケース外に延出及びケース内に引き込み可能な可動部材を有する角度調整機構と、角度調整機構をケースに固定する固定機構とを備え、平面表示装置の表示面の傾斜角を調整することができる平面表示装置のスタンドが提案されている。
【特許文献１】特開平８−３２０６５５号公報
【特許文献２】特開２００１−２８２１３０号公報
【発明の開示】
【発明が解決しようとする課題】
【０００５】
しかしながら、特許文献１に記載のディスプレイ装置においては、支持装置が支持台、スタンド支柱、ディスプレイ取付部及びチルト機構を備える複雑な構成であり、構成部品が多いという問題があり、また、組立が複雑であるという問題がある。また、支持装置自体が大型であるため、ディスプレイ装置の設置に大きなスペースが必要であるという問題がある。
【０００６】
また、特許文献２に記載の平面表示装置のスタンドにおいては、ケース、角度調整機構及び固定機構を備える構成であり、構成部品が多いという問題があり、また、スタンドの形状が平面表示装置の前後方向に長い形状であるため、設置に大きなスペースが必要であるという問題がある。
【０００７】
本発明は、斯かる事情に鑑みてなされたものであって、その目的とするところは、弓状の支持部材を被支持体の背面に接触させて固定し支持する簡単な構成とすることにより、従来のものに比べて少ない構成部品で実現でき、使用者が簡単に組み立て及び分解を行うことができ、小さなスペースに設置でき、また、支持部材及び被支持体の接触部分を湾曲面又は屈曲面とし、接触位置を変更して固定することにより、支持部材が被支持体を支持する支持角度を調整することができる支持機構を提供することにある。
【０００８】
また本発明の他の目的とするところは、支持部材に湾曲凸面を形成し、被支持体に湾曲凹面を形成し、湾曲凸面及び湾曲凹面を接触させる構成とすることにより、支持角度の調整が行いやすく、また、被支持体を支持部材が安定して支持することができる支持機構を提供することにある。
【０００９】
また本発明の他の目的とするところは、支持部材に湾曲凹面を形成し、被支持体に湾曲凸面を形成し、湾曲凹面及び湾曲凸面を接触させる構成とすることにより、支持角度の調整が行いやすく、また、被支持体を支持部材が安定して支持することができる支持機構を提供することにある。
【００１０】
また本発明の他の目的とするところは、支持角度の調整方向に長く形成された貫通孔又は調整方向に沿って並設された複数の貫通孔を支持部材に備え、支持体の背面にネジ穴を形成し、支持部材の貫通孔にネジを挿通して支持体のネジ穴に螺合させて支持部材を被支持体に固定する構成とすることにより、少ない構成部品で支持部材の固定を行うことができ、また、支持角度の調整を簡単に行うことができる支持機構を提供することにある。
【００１１】
また本発明の他の目的とするところは、支持角度の調整方向に長く形成された貫通孔又は調整方向に沿って並設された複数の貫通孔を支持部材に備え、被支持体の背面に突設されたネジ軸を支持部材の貫通孔に挿通してナットで固定する構成とすることにより、少ない構成部品で支持部材の固定を行うことができ、また、支持角度の調整を簡単に行うことができる支持機構を提供することにある。
【００１２】
また本発明の他の目的とするところは、支持部材又は被支持体のどちらか一方に磁石を設け、他方に磁性体を設け、磁力によって支持部材を被支持体に固定する構成とすることにより、少ない構成部品で固定を行うことができる支持機構を提供することにある。
【００１３】
また本発明の他の目的とするところは、支持角度の調整方向に長く形成されたガイド孔を支持部材に備え、被支持体の背面にガイドピンを突設し、ガイドピンをガイド孔に挿入して支持部材の固定位置を規制する構成とすることにより、支持部材を被支持体に固定した場合にズレが生じる虞のない支持機構を提供することにある。
【００１４】
また本発明の他の目的とするところは、支持部材の上部に取手部を設けることにより、支持部材を被支持体に固定した状態で、使用者が被支持体及び支持部材を簡単に持ち運ぶことができる支持機構を提供することにある。
【００１５】
また本発明の他の目的とするところは、平面表示装置を支持する構成とすることにより、平面表示装置の支持を少ない構成部品で行うことができ、小さい設置スペースに平面表示装置を設置することができ、平面表示装置の設置角度を簡単に調整することができる支持機構を提供することにある。
【課題を解決するための手段】
【００１６】
本発明に係る支持機構は、被支持体と、該被支持体を支持する支持部材とを備え、前記被支持体の支持角度を調整可能に支持するようにしてある支持機構において、前記支持部材は側面視で略弓状をなし、前記支持部材の凸面側の一部を前記被支持体の背面に接触させた状態で、前記支持部材を前記被支持体に固定する固定手段と、前記支持部材及び前記被支持体の接触部分の一方又は両方に形成された湾曲面又は屈曲面とを備え、前記支持部材及び前記被支持体の接触位置を変更して、前記被支持体の支持角度を調整するようにしてあることを特徴とする。
【００１７】
本発明においては、略弓状の支持部材を被支持体の背面に接触させた状態で固定し、支持部材による被支持体の支持を行う。支持部材が被支持体を支持する支持角度を調整する場合には、支持部材と被支持体との接触位置を湾曲面又は屈曲面に沿って移動させて変更することで調整を行うことができる。
【００１８】
また、本発明に係る支持機構は、前記支持部材には、前記被支持体との接触部分に湾曲凸面が形成してあり、前記被支持体には、前記支持体との接触部分に、前記湾曲凸面と対応する湾曲凹面が形成してあることを特徴とする。
【００１９】
本発明においては、支持部材に湾曲凸面を形成し、被支持体に湾曲凹面を形成する。湾曲凸面及び湾曲凹面を接触させて支持部材を被支持体に固定し、支持部材による被支持体の支持を安定して行う。支持角度の調整を行う場合には、支持部材を湾曲凹面に沿って移動させ、支持部材が被支持体と接触する接触位置を変更することで行うことができる。
【００２０】
また、本発明に係る支持機構は、前記支持部材には、前記被支持体との接触部分に湾曲凹面が形成してあり、前記被支持体には、前記支持体との接触部分に、前記湾曲凹面と対応する湾曲凸面が形成してあることを特徴とする。
【００２１】
本発明においては、支持部材に湾曲凹面を形成し、被支持体に湾曲凸面を形成する。湾曲凹面及び湾曲凸面を接触させて支持部材を被支持体に固定し、支持部材による被支持体の支持を安定して行う。支持角度の調整を行う場合には、支持部材を湾曲凸面に沿って移動させ、支持部材が被支持体と接触する接触位置を変更することで行うことができる。
【００２２】
また、本発明に係る支持機構は、前記固定手段が、前記被支持体の支持角度の調整方向に沿って長く前記支持部材に形成された貫通孔又は前記調整方向に沿って並べて前記支持部材に形成された複数の貫通孔と、前記被支持体の背面に形成されたネジ穴と、前記支持部材に形成された貫通孔を挿通して前記ネジ穴に螺合するネジとを有することを特徴とする。
【００２３】
本発明においては、支持角度の調整方向に長く形成された貫通孔又は調整方向に沿って並設された複数の貫通孔を支持部材に備え、支持体の背面にネジ穴を形成し、支持部材の貫通孔にネジを挿通して支持体のネジ穴に螺合させて支持部材を被支持体に固定する。これにより、支持部材及びネジのみで被支持体の支持を行うことができる。
【００２４】
また、本発明に係る支持機構は、前記固定手段が、前記被支持体の支持角度の調整方向に沿って長く前記支持部材に形成された貫通孔又は前記調整方向に沿って並べて前記支持部材に形成された複数の貫通孔と、前記被支持体の背面に突設してあり、前記支持部材に形成された貫通孔を挿通するネジ軸と、該ネジ軸に螺合するナットとを有することを特徴とする。
【００２５】
本発明においては、支持角度の調整方向に長く形成された貫通孔又は調整方向に沿って並設された複数の貫通孔を支持部材に備え、被支持体の背面にネジ軸を突設し、支持部材の貫通孔にネジ軸を挿通し、ネジ軸にナットを螺合させて支持部材を被支持体に固定する。これにより、支持部材及びナットのみで被支持体の支持を行うことができる。
【００２６】
また、本発明に係る支持機構は、前記固定手段が、前記支持部材又は前記被支持体の一方に設けられた磁石と、他方に設けられた磁性体とを有することを特徴とする。
【００２７】
本発明においては、支持部材又は被支持体のどちらか一方に磁石を設け、他方に磁性体を設け、磁力によって支持部材を被支持体に固定する。これにより、支持部材のみで被支持体の支持を行うことができる。
【００２８】
また、本発明に係る支持機構は、前記支持部材に、前記被支持体の支持角度の調整方向に沿って長く形成されたガイド孔と、前記被支持体の背面に突設してあり、前記ガイド孔に挿入可能なガイドピンとを備え、前記ガイド孔及び前記ガイドピンにより、前記固定手段による前記被支持体及び前記支持部材の固定位置を規制するようにしてあることを特徴とする。
【００２９】
本発明においては、支持角度の調整方向に長く形成されたガイド孔を支持部材に備え、被支持体の背面にガイドピンを突設する。支持部材をネジ又はナット等の一つで被支持体に固定する場合に、ガイドピンをガイド孔に挿入して固定位置を規制して、固定位置にズレが生じないようにする。
【００３０】
また、本発明に係る支持機構は、前記支持部材には、前記被支持体を支持した場合の上部に、取手部が設けてあることを特徴とする。
【００３１】
本発明においては、支持部材の上部に取手部を設けて、支持部材を被支持体に固定した場合に、被支持体を簡単に持ち運ぶことができるようにする。
【００３２】
また、本発明に係る支持機構は、前記被支持体が、平面表示装置であることを特徴とする。
【００３３】
本発明においては、支持部材が平面表示装置を支持する構成として、平面表示装置の支持を少ない構成部品で行うことができるようにし、小さい設置スペースに平面表示装置を設置できるようにし、また、平面表示装置の表示面の傾斜角度を簡単に調整できるようにする。
【発明の効果】
【００３４】
本発明による場合は、弓状の支持部材を被支持体の背面に接触させて固定し支持する簡単な構成とすることにより、少ない構成部品で支持を行うことができるため、従来のものと比べて支持機構の材料コスト及び組立コスト等を少なくできる。また、支持機構が単純な構成であるため、使用者が簡単に組み立て及び分解を行うことができ、また、小さなスペースに設置できる。更に、支持部材及び被支持体の接触部分を湾曲面又は屈曲面とし、支持部材及び被支持体の接触位置を変更して支持角度を調整する構成とすることにより、簡単な構成で確実に被支持体の支持角度の調整を行うことができる。
【００３５】
また本発明による場合は、支持部材に湾曲凸面を形成し、被支持体に湾曲凹面を形成し、湾曲凸面及び湾曲凹面を接触させる構成とすることにより、支持角度の調整を行う場合に、支持部材を湾曲凹面に沿って移動させて接触位置を変更することができるため、支持角度の調整を行いやすくでき、また、簡単な構成で確実に被支持体の支持角度の調整を行うことができる。
【００３６】
また本発明による場合は、支持部材に湾曲凹面を形成し、被支持体に湾曲凸面を形成し、湾曲凹面及び湾曲凸面を接触させる構成とすることにより、支持角度の調整を行う場合に、支持部材を湾曲凸面に沿って移動させて接触位置を変更することができるため、支持角度の調整を行いやすくでき、また、簡単な構成で確実に被支持体の支持角度の調整を行うことができる。
【００３７】
また本発明による場合は、支持体の背面にネジ穴を形成し、支持部材の貫通孔にネジを挿通し、支持体のネジ穴にネジを螺合させて支持部材を被支持体に固定する構成とすることにより、支持部材及びネジのみで支持機構が実現できるため、材料コスト及び組立コスト等を従来のものと比べて少なくできる。また、支持機構が単純な構成であるため、使用者が簡単に組み立て及び分解を行うことができ、簡単に支持角度の調整を行うことができる。
【００３８】
また本発明による場合は、被支持体の背面に突設されたネジ軸を支持部材の貫通孔に挿通してナットで固定する構成とすることにより、支持部材及びナットのみで支持機構が実現できるため、材料コスト及び組立コスト等を従来のものと比べて少なくできる。また、支持機構が単純な構成であるため、使用者が簡単に組み立て及び分解を行うことができ、簡単に支持角度の調整を行うことができる。
【００３９】
また本発明による場合は、支持部材又は被支持体のどちらか一方に磁石を設け、他方に磁性体を設け、磁力によって支持部材を被支持体に固定する構成とすることにより、支持部材のみで被支持体の支持を行うことができるため、構成部品数を少なくでき、材料コスト及び組立コスト等を従来のものと比べて少なくできる。また、支持機構が単純な構成であるため、使用者が簡単に組み立て及び分解を行うことができ、簡単に支持角度の調整を行うことができる。
【００４０】
また本発明による場合は、支持部材にガイド孔を形成し、被支持体の背面にガイドピンを突設し、ガイドピンをガイド孔に挿入して支持部材の固定位置を規制する構成とすることにより、支持部材をネジ又はナット等の一つで被支持体に固定する場合に、支持部材の固定位置にズレが生じることがないため、少ない構成部品で被支持体を確実に安定して支持することができる。
【００４１】
また本発明による場合は、支持部材の上部に取手部を設けることにより、被支持体に取手部が設けられていない場合であっても、支持部材を被支持体に固定することで、被支持体を簡単に持ち運ぶことができる。
【００４２】
また本発明による場合は、被支持体として平面表示装置を支持する構成とすることにより、平面表示装置の支持を少ない構成部品で行うことができるため、支持機構の材料コスト及び組立コスト等を削減することができ、また、小さい設置スペースに平面表示装置を設置することができる。また、平面表示装置の設置角度を簡単に調整することができ、小さい設置スペースであっても調整範囲を大きくできるため、平面表示装置に表示される映像の視認性を高めることができる。
【発明を実施するための最良の形態】
【００４３】
以下、本発明をその実施の形態を示す図面に基づき具体的に説明する。本実施の形態においては、液晶ディスプレイを支持する支持機構を例に説明を行う。
（実施の形態１）
図１は、本発明の実施の形態１に係る支持機構の構成を示す背面斜視図である。また図２は同分解斜視図であり、図３は同側断面図である。
【００４４】
図において１は液晶ディスプレイであり、液晶ディスプレイ１は扁平な略直方体形状をなし、広い面を前後に載置して使用され、正面には図示しない表示面を備えて映像を表示するものである。液晶ディスプレイ１の背面には、液晶ディスプレイ１を一定の範囲内で傾斜させた状態で支持する側断面略弓状の支持部材１０が、弓状の凸側の面の一部分を液晶ディスプレイ１の背面に接触させた状態で、ネジ１９によって固定してある。
【００４５】
支持部材１０は、略長方形の板体を長辺方向及び短辺方向にそれぞれ湾曲させて略部分球殻状にした合成樹脂製の部材であり、一面側が滑らかな三次元曲面の湾曲凸面１３をなすように湾曲してある。支持部材１０は、長辺方向を上下にして液晶ディスプレイ１の背面に固定するようにしてあり、一側の短辺部分には、両端を支持部材１０の長手方向に沿って延出させて２つの脚部１１、１１を形成している。また、支持部材１０の他側には略長方形状の貫通孔が短辺の縁に沿って形成してあり、この貫通孔を取手部１２としている。また、支持部材１０の略中央部分には、支持部材１０の長手方向に長い貫通孔１４が形成してあり、貫通孔１４の両側には長手方向に長い２つのガイド孔１５、１５が貫通孔１４と略平行に形成してある。
【００４６】
液晶ディスプレイ１の背面の略中央には円錐台形の突出部分２が形成してあり、突出部分２は突出端面を滑らかに凹ませて湾曲凹面３が形成してある。湾曲凹面３は支持部材１０の湾曲凸面１３と略等しい曲率にしてあり、また、湾曲凹面３の中央にはネジ１９と螺合するネジ穴４が形成してあり、湾曲凹面３のネジ穴４の左右には円柱状の突起であるガイドピン５、５がそれぞれ突設してある。ネジ穴４とガイドピン５、５との間の距離は、支持部材１０の貫通孔１４とガイド孔１５、１５との間の距離に略等しくしてある。
【００４７】
支持部材１０を液晶ディスプレイ１の背面に固定する場合は、支持部材１０の湾曲凸面１３を液晶ディスプレイ１の湾曲凹面３に当接させた状態で、ネジ１９の軸部分を支持部材１０の貫通孔１４を挿通して液晶ディスプレイ１のネジ穴４に螺合させることで固定する。このとき、液晶ディスプレイ１のガイドピン５、５が支持部材１０のガイド孔１５、１５に挿入され、支持部材１０が液晶ディスプレイ１の左右方向にずれて固定されないようにしてある。
【００４８】
支持部材１０による液晶ディスプレイ１の支持角度θを調整する場合は、支持部材１０を固定しているネジ１９を若干緩め、支持部材１０を液晶ディスプレイ１の湾曲凹面に沿って長手方向に摺動させ、好みの位置でネジ１９を締めることで、調整を行うことができる。
【００４９】
図４は、本発明の実施の形態１に係る支持機構の支持角度調整の様子を示す側面図である。図４において（ａ）は支持角度θが最も大きい角度θ１である場合を図示したものであり、液晶ディスプレイ１が最も直立に近い状態で支持される。ネジ１９は支持部材１０の貫通孔１４の最も上側を挿通しており、このとき、支持部材１０及び設置面Ａの接触点から液晶ディスプレイ１及び設置面Ａの接触点までの距離Ｌは最大距離Ｌ１となる。
【００５０】
また、（ｂ）は支持角度θが最も小さい角度θ２である場合を図示したものであり、ネジ１９は支持部材１０の貫通孔１４の最も下側を挿通している。このとき、支持部材１０及び設置面Ａの接触点から液晶ディスプレイ１及び設置面Ａの接触点までの距離Ｌは最小距離Ｌ２となる。
【００５１】
以上の構成の支持機構においては、液晶ディスプレイ１を支持部材１０及びネジ１９の２つの構成部品のみで支持することが可能であり、また、構造が簡単であるため、使用者が簡単に組み立て及び分解を行うことができ、支持角度の調整を行うことができる。
【００５２】
また、支持部材１０の湾曲凸面１３及び液晶ディスプレイ１の湾曲凹面３を接触させて固定する構成であるため、支持角度θを調整した場合に、支持部材１０及び設置面Ａの接触点から液晶ディスプレイ１及び設置面Ａの接触点までの距離Ｌの変化量が少ない。即ち、支持角度を最大角θ１〜最小角θ２の間で調整した場合、距離Ｌの最大値Ｌ１及び最小値Ｌ２の差が小さい。このため、支持部材１０による支持角度に設置場所が制約されることが少ない。
【００５３】
なお、本実施の形態において示した支持部材１０の脚部１１、１１及び取手部１２の形状は他の形状であってもよく、更には、取手部１２は設けなくてもよい。また、支持部材１０を合成樹脂製としたが、これに限るものではなく、金属製又は木製等の他の材料によるものであってもよい。また、支持部材１０の長手方向に長い貫通孔１４にネジ１９を挿通してネジ止めする構成により、支持部材１０の固定及び固定位置の調整を行ったが、これに限るものではなく、以下に示すその他の構成で同様の機能を実現してもよい。
【００５４】
（変形例１）  図５は、本発明の実施の形態１の変形例１に係る支持機構の構成を示す分解斜視図である。変形例１に係る支持部材１０ａは、略中央に複数の貫通孔１４ａ、１４ａ…が支持部材１０ａの長手方向に並設してあり、ネジ１９がこれらの１つを挿通して液晶ディスプレイ１のネジ穴４に螺合し、支持部材１０ａを液晶ディスプレイ１の背面に固定するようにしてある。支持部材１０ａによる支持角度の調整を行う場合は、ネジ１９を外して支持部材１０ａを液晶ディスプレイ１の湾曲凹面に沿って長手方向に摺動させ、好みの位置で貫通孔１４ａ、１４ａ…の１つとネジ穴４の位置を合わせ、ネジ１９を貫通孔１４ａ、１４ａ…の１つを挿通させてネジ穴４と螺合させることで、調整を段階的に行うことができる。
【００５５】
なお、貫通孔１４ａ、１４ａ…と同様に、ガイド孔１５、１５を複数の貫通孔で形成し、貫通孔１４ａ、１４ａ…の左右に対応させて並設する構成としてもよい。
【００５６】
（変形例２）  図６は、本発明の実施の形態１の変形例２に係る支持機構の構成を示す分解斜視図である。変形例２に係る液晶ディスプレイ１ｂは、背面の突出部分２に形成された湾曲凹面３の中央にネジ軸４ｂが突設してあり、ネジ軸４ｂが支持部材１０に形成された貫通孔１４を挿通するように支持部材１０を液晶ディスプレイ１の湾曲凹面３に当接させ、ナット１９ｂをネジ軸４ｂに螺合させることで、支持部材１０を液晶ディスプレイ１ｂに固定するようにしてある。支持部材１０による支持角度の調整を行う場合は、ナット１９ｂを緩めて支持部材１０を液晶ディスプレイ１ｂの湾曲凹面３に沿って長手方向に摺動させ、好みの位置でナット１９ｂを締めることで調整を行うことができる。
【００５７】
なお、支持部材１０の貫通孔１４は、変形例１のように、複数個を支持部材１０の長手方向に並設する構成であってもよい。
【００５８】
（変形例３）  図７は、本発明の実施の形態１の変形例３に係る支持機構の構成を示す分解斜視図であり、図８は、同側断面図である。変形例３に係る液晶ディスプレイ１ｃは背面の湾曲凹面３にネジ穴を有さず、支持部材１０ｃはネジが挿通するための貫通孔を有していない。液晶ディスプレイ１ｃの湾曲凹面３には、湾曲凹面３の表面に沿って磁石６が設けてあり、また、支持部材１０ｃは磁性体の金属により成形してある。これにより、磁石６の磁力により支持部材１０ｃを湾曲凹面３に固定することができるようにしてある。
【００５９】
なお、磁石を支持部材１０ｃに設け、液晶ディスプレイ１ｃの湾曲凹面３を金属により形成する構成であってもよく、また、支持部材１０ｃ及び液晶ディスプレイ１ｃの湾曲凹面３の両方に磁石を設ける構成であってもよい。
【００６０】
（実施の形態２）
図９は、本発明の実施の形態２に係る支持機構の構成を示す分解斜視図であり、図１０は、同側断面図である。実施の形態２に係る支持部材３０は、略長方形の板体を長辺方向にのみ湾曲させた金属製の部材であり、一面側が滑らかな二次元曲面の湾曲凸面３３をなすように湾曲してある。支持部材３０の一端側には２つの脚部１１、１１が形成してあり、他端側には略長方形状の貫通孔である取手部１２が形成してある。また、支持部材３０の略中央部分には、支持部材３０の長手方向に長い貫通孔１４が形成してある。
【００６１】
液晶ディスプレイ２１の背面の略中央には、縦断面略台形状で平面視略長方形状の突出部分２２が形成してあり、突出部分２２は突出端面を滑らかに凹ませて湾曲凹面２３が形成してある。湾曲凹面２３は支持部材３０の湾曲凸面３３と略等しい曲率にしてあり、湾曲凹面２３の中央にはネジ１９と螺合するネジ穴４が形成してある。
【００６２】
支持部材３０を液晶ディスプレイ２１の背面に固定する場合は、支持部材３０の湾曲凸面３３を液晶ディスプレイ２１の湾曲凹面２３に当接させた状態で、ネジ１９の軸部分を支持部材３０の貫通孔１４を挿通して液晶ディスプレイ２１のネジ穴４に螺合させることで固定する。支持部材３０による液晶ディスプレイ２１の支持角度θを調整する場合は、支持部材３０を固定しているネジ１９を若干緩め、支持部材３０を液晶ディスプレイ２１の湾曲凹面２３に沿って長手方向に摺動させ、好みの位置でネジ１９を締めることで、調整を行うことができる。
【００６３】
以上の構成の支持機構においては、支持部材３０を長手方向のみに湾曲させた構成であり、簡単に加工できるため、支持部材３０を金属により製造する場合に好適である。また、支持部材３０を液晶ディスプレイ２１に固定する場合に左右にズレが生じる虞がないため、実施の形態１に係る支持機構が備えるガイドピン５、５及びガイド孔１５、１５が必要ない。
【００６４】
なお、実施の形態２に係る支持機構においては、支持部材３０を金属製としたが、これに限るものではなく、金属製又は木製等の他の材料によるものであってもよい。また、実施の形態１の変形例に示す構成と同様に、支持部材３０の液晶ディスプレイ２１への固定を他の構成で行ってもよく、また、以下に示す構成で行ってもよい。
【００６５】
（変形例１）  図１１は、本発明の実施の形態２の変形例１に係る支持機構の構成を示す分解斜視図であり、図１２は、同側断面図である。実施の形態２の変形例１に係る支持部材３０ａは、略長方形状の板体を長辺方向に湾曲させた部材であり、一面側が湾曲凸面３３ａをなしている。湾曲凸面３３ａには、側断面が略三角形であり、支持部材３０ａの短辺方向に長い突起が、支持部材３０ａの長辺方向に複数並設してあり、複数の突起を液晶ディスプレイ２１ａと係合する係合部３６としている。
【００６６】
液晶ディスプレイ２１ａの背面の略中央には、側断面略台形状で平面視略長方形状の突出部分２２ａが形成してあり、突出部分の突出端面には湾曲凹面２３ａが形成してある。湾曲凹面２３ａには、側断面が略三角形の左右方向に長い突起が上下方向に複数並設してあり、支持部材３０ａの係合部３６と係合する係合部２６としている。
【００６７】
液晶ディスプレイ２１ａの係合部２６の左右には、突出部分２ａの湾曲凹面２３ａに板体をそれぞれ突設し、それぞれの突出端を内向きに湾曲凹面２３ａに沿って略９０度屈曲させた態様の保持部２７、２７が配設してある。保持部２７、２７は支持体３０ａを保持するものであり、突出部分２２ａの湾曲凹面２３ａと保持部２７、２７の屈曲させた端部との間に支持部材３０ａを挟んだ状態で保持するようにしてある。また、保持部２７、２７の屈曲させた端部から突出部分２２ａの湾曲凹面２３ａまでの距離は、支持部材３０ａの厚さよりも若干大きくしてあり、支持部材３０ａの係合部３６及び液晶ディスプレイ２１ａの係合部の係合を解除した場合に、保持部２７、２７に支持部材３０ａが保持された状態で、支持部材３０ａを湾曲凹面２２ａに沿って上下方向に移動できるようにしてある。
【００６８】
支持部材３０ａを液晶ディスプレイ２１ａに固定する場合は、液晶ディスプレイ２１ａの突出部分２２ａの上側又は下側から、支持部材３０ａを保持部２７、２７及び湾曲凹面２３ａの間に入れて保持部２７、２７に保持させ、支持部材３０ａを湾曲凹面２３ａに沿って移動させ、所望の位置で支持部材３０ａの係合部３６及び液晶ディスプレイ２１ａの係合部２６を係合させることで固定する。支持部材３０ａによる液晶ディスプレイ２１ａの支持角θの調整は、支持部材３０ａを上下に移動させて、支持部材３０ａの係合部３６及び液晶ディスプレイ２１ａの係合部２６の係合位置を変更することで段階的に行うことができる。
【００６９】
実施の形態２の変形例１の支持機構においては、液晶ディスプレイ２１ａに支持部材３０ａを固定する場合に、ネジを必要としないため、構成部品数を削減することができるという利点がある。
【００７０】
実施の形態２に係る支持機構のその他の構成は、実施の形態１に係る支持機構の構成と同様であるため、対応する箇所には同じ符号を付して詳細な説明を省略する。
【００７１】
（実施の形態３）
図１３は、本発明の実施の形態３に係る支持機構の構成を示す側断面図である。実施の形態３に係る液晶ディスプレイ２１は実施の形態２に係る液晶ディスプレイ２１と同じものであり、液晶ディスプレイ２１を支持する支持部材４０の構成のみ異なる。
【００７２】
実施の形態３に係る支持部材４０は、略長方形の板体を長手方向の中途部の２箇所で屈曲させて３つの平面部分を形成し、長手方向の断面を略弓状に形成した金属製の部材である。支持部材４０の一端側には脚部１１、１１が形成してあり、他端側には略長方形状の貫通孔である取手部１２が形成してある。
【００７３】
支持部材４０の中央の平面部分には、長手方向に滑らかに湾曲する湾曲凸部４３が形成してある。湾曲凸部４３は、略弓状の支持部材４０の凸側に突出し、凸側に二次元曲面の湾曲凸面４３ａを有しており、湾曲凸面４３ａの曲率が液晶ディスプレイ２１の湾曲凹面２３の曲率と略等しくなるようにしてある。また、支持部材４０の略中央部分には、支持部材４０の長手方向に長い貫通孔１４が形成してある。
【００７４】
以上の構成の支持機構ように、支持部材４０の全体を湾曲させて湾曲凸面を形成するのではなく、支持部材４０の平面部分に湾曲凸部４３を形成することで湾曲凸面４３ａを形成する場合であっても、実施の形態１及び実施の形態２に係る支持機構と同様の効果を得ることができる。
【００７５】
なお、実施の形態３に係る支持機構においては、支持部材４０を金属製としたが、これに限るものではなく、金属製又は木製等の他の材料によるものであってもよい。また、実施の形態１及び実施の形態２の変形例に示す構成と同様に、支持部材４０の液晶ディスプレイ２１への固定を他の構成で行ってもよい。
【００７６】
実施の形態３に係る支持機構のその他の構成は、実施の形態２に係る支持機構の構成と同様であるため、対応する箇所には同じ符号を付して詳細な説明を省略する。
【００７７】
（実施の形態４）
図１４は、本発明の実施の形態４に係る支持機構の構成を示す側断面図である。実施の形態４にかかる液晶ディスプレイ５１の背面には、液晶ディスプレイ５１の左右方向に長い略かまぼこ形の湾曲凸部５２が形成してあり、湾曲凸部５２の突出端は液晶ディスプレイ５１の上下方向に湾曲した二次元曲面の湾曲凸面５３にしてある。また、湾曲凸面５３の略中央にはネジ１９と螺合するネジ穴４が形成してある。
【００７８】
液晶ディスプレイ５１を支持する支持部材６０は、略長方形の板体を長手方向の中途部の２箇所で屈曲させて３つの平面部分を形成し、長手方向の断面を略弓状に形成した金属製の部材である。支持部材６０の一端側には脚部１１、１１が形成してあり、他端側には略長方形状の貫通孔である取手部１２が形成してある。
【００７９】
支持部材６０の中央の平面部分には、長手方向に滑らかに湾曲する湾曲凹部６３が形成してあり、湾曲凹部６３は、略弓状の支持部材６０の凸側を凹ませた態様であり、支持部材６０の凹側に突出している。湾曲凹部６３は内面が湾曲凹面６３ａにしてあり、湾曲凹面６３ａの曲率が液晶ディスプレイ５１の湾曲凸面５３の曲率と略等しくなるようにしてある。また、湾曲凹部６３には、支持部材６０の長手方向に長い貫通孔１４が形成してある。
【００８０】
以上の構成の支持機構のように、液晶ディスプレイ５１に湾曲凸面５３を形成し、支持部材６０に湾曲凹面６３ａを形成する構成であっても、実施の形態１乃至実施の形態３に係る支持機構と同様の効果を得ることができる。
【００８１】
なお、実施の形態３に係る支持機構においては、支持部材６０を金属製としたが、これに限るものではなく、金属製又は木製等の他の材料によるものであってもよい。また、実施の形態１の変形例に示す構成と同様に、支持部材６０の液晶ディスプレイ５１への固定を他の構成で行ってもよい。
【００８２】
実施の形態４に係る支持機構のその他の構成は、実施の形態１に係る支持機構の構成と同様であるため、対応する箇所には同じ符号を付して詳細な説明を省略する。
【００８３】
（実施の形態５）
図１５は、本発明の実施の形態５に係る支持機構の構造を示す分解斜視図であり、図１６は、同側断面図である。実施の形態５に係る液晶ディスプレイ７１は、背面に湾曲凹面及び湾曲凸面を形成せず略平面状にしてあり、また、背面の略中央にネジ１９と螺合するネジ穴４が形成してあり、ネジ穴４の左右にガイドピン５、５が突設してある。
【００８４】
液晶ディスプレイ７１を支持する支持部材８０は、略長方形の板体を長辺方向にのみ湾曲させた金属製の部材であり、一面側が滑らかな二次元曲面の湾曲凸面８３をなすように湾曲してある。支持部材８０の一端側には２つの脚部１１、１１が形成してあり、他端側には略長方形状の貫通孔である取手部１２が形成してある。また、支持部材８０の略中央部分には、支持部材８０の長手方向に長い貫通孔１４が形成してあり、貫通孔１４の左右両側には長手方向に長い２つのガイド孔１５、１５が貫通孔１４と略平行に形成してある。
【００８５】
以上の構成の支持機構のように、液晶ディスプレイ７１に湾曲凹面及び湾曲凸面を形成しない構成であっても、図１５及び図１６に示す支持部材８０を用いることで、少ない構成部品で液晶ディスプレイ７１の支持を行うことができ、支持角度の調整を行うことができる。
【００８６】
なお、実施の形態５に係る支持機構においては、支持部材８０を金属製としたが、これに限るものではなく、金属製又は木製等の他の材料によるものであってもよい。また、実施の形態１の変形例に示す構成と同様に、支持部材８０の液晶ディスプレイ７１への固定を他の構成で行ってもよい。
【００８７】
実施の形態５に係る支持機構のその他の構成は、実施の形態１に係る支持機構の構成と同様であるため、対応する箇所には同じ符号を付して詳細な説明を省略する。
【００８８】
（実施の形態６）
図１７は、本発明の実施の形態６に係る支持機構の構成を示す側断面図である。実施の形態６に係る液晶ディスプレイ７１は、実施の形態５に係る液晶ディスプレイ７１と同じ構成である。液晶ディスプレイ７１を支持する支持部材９０は、略長方形の板体の長手方向の中央付近を、支持部材９０の短辺と平行に、複数箇所屈曲させて、長手方向の断面が略弓状となるようにした金属製の部材であり、一面側が多角形面の屈曲凸面９３をなすようにしてある。
【００８９】
支持部材９０の一端側には２つの脚部１１、１１が形成してあり、他端側には略長方形状の貫通孔である取手部１２が形成してある。また、支持部材９０の略中央部分には、支持部材９０の長手方向に長い貫通孔１４が形成してあり、貫通孔１４の左右両側には長手方向に長い２つのガイド孔（図示を省略する）が貫通孔１４と略平行に形成してある。
【００９０】
支持部材９０を液晶ディスプレイ７１に固定する場合には、支持部材９０の屈曲凸面９３の多角形面の中の一面を液晶ディスプレイ７１の背面に接触させた状態で、貫通孔１４にネジ１９のネジ軸を挿通し、液晶ディスプレイ７１のネジ穴４と螺合させることで固定する。このとき、液晶ディスプレイ７１及び支持部材９０がそれぞれの平面で接触しているため、実施の形態５の場合と比較して、より安定して支持部材９０が液晶ディスプレイ７１を支持できる。
【００９１】
なお、実施の形態６に係る支持機構においては、支持部材９０を金属製としたが、これに限るものではなく、金属製又は木製等の他の材料によるものであってもよい。また、実施の形態１の変形例に示す構成と同様に、支持部材９０の液晶ディスプレイ７１への固定を他の構成で行ってもよい。
【００９２】
実施の形態６に係る支持機構のその他の構成は、実施の形態５に係る支持機構の構成と同様であるため、対応する箇所には同じ符号を付して詳細な説明を省略する。
【００９３】
（実施の形態７）
図１８は、本発明の実施の形態７に係る支持機構の構成を示す側断面図である。実施の形態７に係る液晶ディスプレイ１０１は、実施の形態４に係る液晶ディスプレイ５１と略等しい形状であり、背面に液晶ディスプレイ１０１の左右方向に長い略かまぼこ形の湾曲凸部１０２が形成してある。湾曲凸部１０２の突出端は液晶ディスプレイ１０１の上下方向に湾曲した二次元曲面の湾曲凸面１０３にしてある。また、湾曲凸面１０３の左右方向の略中央には、ネジ１９と螺合する複数のネジ穴４、４…が上下方向に並設してある。複数のネジ穴４、４…の左右両側には円柱状のガイドピン５、５…がそれぞれ突設してある。
【００９４】
液晶ディスプレイ１０１を支持する支持部材１１０は、略長方形の板体を長手方向の中途部の２箇所で屈曲させて３つの平面部分を形成し、長手方向の断面を略弓状に形成した金属製の部材である。支持部材１１０の一端側には脚部１１、１１が形成してあり、他端側には略長方形状の貫通孔である取手部１２が形成してある。支持部材１１０の略中央には略円形の貫通孔１１４が形成してあり、貫通孔１１４の直径はネジ１９のネジ軸と略等しくしてある。また、貫通孔１１４の左右両側には、液晶ディスプレイ１０１のガイドピン５、５…を挿入する略円形のガイド孔（図示を省略する）が形成してある。
【００９５】
支持部材１１０を液晶ディスプレイ１０１に固定する場合には、支持部材１１０の貫通孔１１４にネジ１９のネジ軸を挿通し、液晶ディスプレイ１０１に複数形成されたネジ穴４、４…のいずれか１つと螺合させて固定する。ネジ穴４、４…は湾曲凸面１０３に上下方向に並べて形成してあるため、ネジ１９と螺合させるネジ穴４、４…を変えることで、液晶ディスプレイ１０１の支持角度θを調整することができる。
【００９６】
なお、液晶ディスプレイ１０１の湾曲凸面１０３は、実施の形態６に係る支持部材９０の屈曲凸面９３と同様に、多角形面で形成される湾曲凸面としてもよい。この場合、支持部材１１０の固定をより安定して行うことができる。また、支持部材１１０を金属製としたが、これに限るものではなく、金属製又は木製等の他の材料によるものであってもよい。
【００９７】
実施の形態７に係る支持機構のその他の構成は、実施の形態１に係る支持機構の構成と同様であるため、対応する箇所には同じ符号を付して詳細な説明を省略する。
【００９８】
（実施の形態８）
図１９は、本発明の実施の形態８に係る支持機構の構成を示す背面斜視図である。実施の形態８に係る液晶ディスプレイ１２１は左右に長い表示面を有するワイド形の液晶ディスプレイであり、左右に長い扁平な略直方体形状をなしている。液晶ディスプレイ１２１の背面には、実施の形態１に係る支持部材１０と同じ構成の２つの支持部材１０、１０が、液晶ディスプレイ１２１の左右方向に並べてネジ１９、１９によりそれぞれ固定してある。また、液晶ディスプレイ１２１の背面には、支持部材１０、１０を固定するための図示しないネジ穴及び湾曲凹面が左右にそれぞれ形成してある。
【００９９】
以上の構成の支持機構においては、２つの支持部材１０、１０によって液晶ディスプレイ１２１の支持を行うため、ワイド形の液晶ディスプレイ１２１を安定して支持することができる。
【０１００】
なお、実施の形態８においては、支持部材１０を２つ備える構成としたが、これに限るものではなく、３つ以上の支持部材を備える構成としてもよい。また、それぞれの支持機構の構成は、実施の形態１乃至実施の形態７のいずれであってもよい。また、ワイド形の液晶ディスプレイを支持する場合に、液晶ディスプレイの形状に応じて横長の支持部材を１つ用いて支持する構成であってもよい。
【０１０１】
実施の形態８に係る支持機構のその他の構成は、実施の形態１に係る支持機構の構成と同様であるため、対応する箇所には同じ符号を付して詳細な説明を省略する。
【０１０２】
なお、実施の形態１乃至実施の形態８においては、支持部材を液晶ディスプレイに１つのネジで固定する構成を示したが、これに限らず、２つ以上のネジで固定する構成としてもよい。例えば、液晶ディスプレイの背面に左右方向に２つのネジ穴を並設し、支持部材に貫通孔を２つ並設した場合には、支持部材を液晶ディスプレイに固定するときに左右にズレが生じる虞がないため、ガイドピン及びガイド孔が必要ないという利点がある。また、被支持体として液晶ディスプレイを例に説明を行ったが、これに限るものではなく、その他に例えば、写真立て又はパラボラアンテナ等の一定の角度傾斜させて設置するものに関して同様の構成を適用することができる。
【図面の簡単な説明】
【０１０３】
【図１】本発明の実施の形態１に係る支持機構の構成を示す背面斜視図である。
【図２】本発明の実施の形態１に係る支持機構の構成を示す分解斜視図である。
【図３】本発明の実施の形態１に係る支持機構の構成を示す側断面図である。
【図４】本発明の実施の形態１に係る支持機構の支持角度調整の様子を示す側面図である。
【図５】本発明の実施の形態１の変形例１に係る支持機構の構成を示す分解斜視図である。
【図６】本発明の実施の形態１の変形例２に係る支持機構の構成を示す分解斜視図である。
【図７】本発明の実施の形態１の変形例３に係る支持機構の構成を示す分解斜視図である。
【図８】本発明の実施の形態１の変形例３に係る支持機構の構成を示す側断面図である。
【図９】本発明の実施の形態２に係る支持機構の構成を示す分解斜視図である。
【図１０】本発明の実施の形態２に係る支持機構の構成を示す側断面図である。
【図１１】本発明の実施の形態２の変形例１に係る支持機構の構成を示す分解斜視図である。
【図１２】本発明の実施の形態２の変形例１に係る支持機構の構成を示す側断面図である。
【図１３】本発明の実施の形態３に係る支持機構の構成を示す側断面図である。
【図１４】本発明の実施の形態４に係る支持機構の構成を示す側断面図である。
【図１５】本発明の実施の形態５に係る支持機構の構造を示す分解斜視図である。
【図１６】本発明の実施の形態５に係る支持機構の構造を示す側断面図である。
【図１７】本発明の実施の形態６に係る支持機構の構成を示す側断面図である。
【図１８】本発明の実施の形態７に係る支持機構の構成を示す側断面図である。
【図１９】本発明の実施の形態８に係る支持機構の構成を示す背面斜視図である。
【符号の説明】
【０１０４】
１、１ｂ、１ｃ、２１、２１ａ、５１、７１、１０１、１２１  液晶ディスプレイ
３、２３、２３ａ、６３ａ  湾曲凹面
４  ネジ穴
４ｂ  ネジ軸
５  ガイドピン
６  磁石
１０、１０ａ、１０ｃ、３０、３０ａ、４０、６０、８０、９０、１１０  支持部材
１２  取手部
１３、３３、３３ａ、４３ａ、５３、８３、１０３  湾曲凸面
１４、１４ａ  貫通孔
１５  ガイド孔
１９  ネジ
１９ｂ  ナット
９３  屈曲凸面
【図１】
2006308062.tif 000003
【図２】
2006308062.tif 000004
【図３】
2006308062.tif 000005
【図４】
2006308062.tif 000006
【図５】
2006308062.tif 000007
【図６】
2006308062.tif 000008
【図７】
2006308062.tif 000009
【図８】
2006308062.tif 000010
【図９】
2006308062.tif 000011
【図１０】
2006308062.tif 000012
【図１１】
2006308062.tif 000013
【図１２】
2006308062.tif 000014
【図１３】
2006308062.tif 000015
【図１４】
2006308062.tif 000016
【図１５】
2006308062.tif 000017
【図１６】
2006308062.tif 000018
【図１７】
2006308062.tif 000019
【図１８】
2006308062.tif 000020
【図１９】
2006308062.tif 000021